(57)【要約】【課題】線長を調節できるコネクタ構造の提供。【解決手段】本考案の線長を調節できるコネクタ構造は、分解性を有する情報コネクタの機動性と快速性の配線能力により、その線長を調節して、最適な配線長さを得ることが出来る特有の構造設計である。本考案の主な設計理念は、公知の固定式、固定線長の線体のコネクタを、分解性と配線性の二重機能下で、単方向プラグ、或いは、双方向プラグの配線を実施し、線長が過長であったり、過短であったり、絡まったりすることで生じる各種重大問題を改善する。【選択図】    図２
0003124005.tif 000002
【実用新案登録請求の範囲】
【請求項１】
線長を調節できるコネクタ構造であって、主に、コネクタのジョイント端により、分解性と快速配線の功能を有し、効果的に、コネクタ線体の長さを調整できるもので、全体の構造は、主に、側連式の主ハウジング、回路板、端子台、雄、或いは、雌ジョイントと両側の鎖定ねじからなり、その特徴は、
前記側連式の主ハウジングによりコネクタ端の外ハウジングを構成し、その中に、端子台、雄、雌ジョイントと回路板を承置し、この素子は、溶接により、一体性の素子を形成し、前記回路板は、この構造の底部に位置して基底層となり、前記端子台は前記回路板上方に位置するとともに、前記雄、雌ジョイントの後に位置し、
前記端子台は横向けの設置設計で、一組、或いは、一組以上の前後方式によりそれぞれ回路板上に溶置され、各端子台の台面配線は、外側に向く形態を呈し、後ろ向きの各端子台の配線孔台面は、斜め向き形態の構造で、また、各端子台の台面は、若干の配線孔を設置する以外に、各配線孔は対応する鎖嵌槽により、鎖固素子を螺入して、前記配線孔内に配入された線体分岐線は、鎖固と配接効果を達し、
前記雄、雌ジョイントは、前記回路板の上方と最前位置に位置し、端部は雄ジョイント、或いは、雌ジョイントで、後方位置は一体成型する封体で、ジョイントの各ピンは９０度角を呈し、前記回路板との溶接導連部は封合保護され、導連端の露出による影響を受けず、美観、配装、安全に配慮していることを特徴とするコネクタ構造。
【請求項２】
側連式の主ハウジングは、上ハウジング、下ハウジング、からなり、横向けの連続壁により、両ハウジングが対応蓋合し、前記上ハウジングは一側に、一組、或いは、それ以上の係合棒を有し、前記下ハウジングの一側に設けられた一組、或いは、それ以上の係合槽と対応し、両ハウジングが蓋合後、係合と嵌定の効果を達することを特徴とする請求項１に記載のコネクタ構造。
【請求項３】
前記側連式の主ハウジングは、前記上下ハウジングの後方位置に、それぞれ、フェルールを設置し、前記フェルールの外側に、一組、或いは、それ以上の係合棒を有し、もう一つのフェルールの外側に、一組、或いは、それ以上の係合槽を有し、両フェルール蓋合後、係合と嵌定で配置される線体が得られることを特徴とする請求項１に記載のコネクタ構造。
【請求項４】
前記雄、或いは、雌ジョイントは両側に沿って鎖定ねじを有し、貫通、定位することを特徴とする請求項１に記載のコネクタ構造。
【請求項５】
前記雄、或いは、雌ジョイントの後方位置は一体型の封体を呈し、ゲル接着の方式で封閉して、ピンを保護してもよいことを特徴とする請求項１に記載のコネクタ構造。
【考案の詳細な説明】
【技術分野】
【０００１】
本考案は線長を調節できるコネクタ構造に関し、詳細には、公知のコネクタが特有の構造設計により、機動性と快速性のある配線能力を獲得し、コネクタ線体長さが変更でき、標準型のコネクタの線長が過長であったり、過短であったり、絡まったりすることで生じる各種重大問題を改善するコネクタ構造に関する。
【背景技術】
【０００２】
公知のコネクタ、或いは、情報コネクタ技術領域において、長期に渡り、精密度と加工等の問題が重視されて、製品の歩留まり向上を求めてきた。しかし、この種の製品にとって、端子とパッケージ技術の大幅な向上があるものの、実用性の面から言うと、大きな変化や相関する技術開発もなく、配接、或いは、接続だけであり、コネクタの実用面で、各種欠点と問題がある。
【０００３】
現在の多元化電子製品は、数多く、コネクタ線体により各素子を連接して情報伝達の功能を達し、よって、非常に重要な役割を担い、また、公知のものは、異なる型式のコネクタ、或いは、情報コネクタにより、その定位性、安定性、及び、耐用性が異なり、強弱のコントラストと実用性に差がある以外に、最も重要な共通構造は、コネクタのジョイント端が「封合固定式」であることと、線体が「標準型規格」とすることである。よって、共通の弊害がある。
【０００４】
公知のコネクタ、或いは、情報コネクタは、正常規格とモデル下で、両雄ジョイント端、両雌ジョイント端、雄、雌ジョイント端、或いは、雄ジョイント端が特有の雌ジョイント端を配置するもの、雌ジョイント端が特有の雄ジョイント端を配置するもの、、等のモデルがあり、情報データの連接、或いは、線体の延接使用を実行する。公知のどの種のモデルのコネクタでも、そのコネクタのジョイント端は「封合固定式」を呈し、解体することもメンテナンスもできない。よって、損壊や伝送不良があっても修理できないので、再購入、取り替えしかなく、コスト負担となる。
【０００５】
次に、コネクタの線体では、コネクタのジョイント端は「封合固定性」を呈し、よって、線体長さは、例えば、３、６、９、１２等の固定性の標準規格となる。これらの標準規格の長さのコネクタは、使用面から、線長が過長であったり、過短であったり、絡まったりする各種重大問題が存在し、以下で分析する。
【０００６】
１． コネクタ線体が過長であると、線体が纏繞したり絡まったりして、伝送品質に影響を及ぼす。
２． コネクタ線体が過短であると、適用できないことがあり、再購入が必要になる。
３． 長距離の連接と伝送に使用する場合、最長の標準規格の線体から取得できず、延接方式でないと連接と伝送能力がない。これにより、延接後の線体の過長、過短と同様の欠点が存在し、伝送品質に影響する。
【考案の開示】
【考案が解決しようとする課題】
【０００７】
本考案は「線長を調節できるコネクタ構造」を提供し、特殊な分解性のあるコネクタジョイント端により、快速配線能力を獲得し、コネクタ線体長さが変更でき、標準型のコネクタの線長が過長であったり、過短であったり、絡まったりする問題を改善すると同時に、ジョイント端は交換、メンテナンスができるので、コネクタの最大功能と効用を発揮することができる。
【課題を解決するための手段】
【０００８】
上述の目的を達成するため、本案のコネクタ、或いは、情報コネクタのジョイント端の外観形態と公知のものは相同で、雄、或いは、雌ジョイントにより連接物上に配挿され、両側の鎖定ねじにより螺合鎖定される。本案のジョイント端全体の構造は、主に、側連式の主ハウジング、回路板、端子台、雄、或いは、雌ジョイントと両側の鎖定ねじからなる。
【考案の効果】
【０００９】
本考案の「線長を調節できるコネクタ構造」により、快速配線能力を獲得し、コネクタ線体長さが変更でき、標準型のコネクタの線長が過長であったり、過短であったり、絡まったりする問題を改善すると同時に、ジョイント端は交換、メンテナンスができるので、コネクタの最大功能と効用を発揮することができる。
【考案を実施するための最良の形態】
【００１０】
図１を参照すると、本案のコネクタ、或いは、情報コネクタのジョイント端（１０）の外観形態と公知のものは相同で、同様に、雄、或いは、雌ジョイント（４）により連接物上に配挿され、両側の鎖定ねじ（５）により螺合鎖定される。図２で示されるように、本案のジョイント端（１０）全体の構造は、主に、側連式の主ハウジング（１）、回路板（２）、端子台（３）、雄、或いは、雌ジョイント（４）と両側の鎖定ねじ（５）からなる。側連式の主ハウジング（１）は、上ハウジング（１１）、下ハウジング（１２）、からなり、横向けの連続壁（１３）により、両ハウジング（１１、１２）を連接し、両ハウジング（１１、１２）が対応蓋合し、回路板（２）、端子台（３）、雌ジョイント（４）と両側の鎖定ねじ（５）の局部が、主ハウジング（１）内部に包合される。これにより、両ハウジング（１１、１２）中の上ハウジング（１１）は連続壁（１３）を有さないもう一側に、一組、或いは、それ以上の係合棒（１１１）を有し、下ハウジング（１２）の連続壁を有さないもう一側は、一組、或いは、それ以上の係合槽（１２１）を有し、両ハウジング（１１、１２）が蓋合後、係合と嵌定の効果を達する。この他、配入する線体（A）の強固な定位性のために、両ハウジング（１１、１２）後方位置に、それぞれ、半分のフェルール（１１２、１１３）を設置し、フェルール（１１２）の外側に、一組、或いは、それ以上の係合棒（１１２１）を有し、もう一つのフェルール（１１３）の外側に、一組、或いは、それ以上の係合槽（１１３１）を有し、両フェルール（１１２、１１３）蓋合後、係合と嵌定で配置される線体（B）が得られ、図４で示される。
【００１１】
図３を参照すると、本案のジョイント端（１０）内部に配設される端子台（３）、雄、或いは、雌ジョイント（４）と回路板（２）は、これらの素子の底部に位置して基底層となり、端子台は、回路板（２）の上方に置かれる以外に、雄、雌ジョイント（４）後方に位置し、横向け設置の設計を採用し、前後方式により、それぞれ、回路板上に溶接される。図２を再度参照すると、これらの端子台（３）は、台面配線孔（３１）により、外側（後ろ向き）を向く形態を呈し、後置された端子台台面の配線孔（３１）は、外側に向く以外に、斜め向きの構造形態を呈し、配線と固線を便利にする。同時に、前述の各端子台（３）の台面は、それぞれ、若干の配線孔（３１）を設置し、各配線孔（３１）は、対応する鎖嵌槽（３１１）により、鎖固素子（３１２）を螺入して、配線孔（３１）内に配入された線体（B）分岐線は、鎖固と配接効果を達する。
【００１２】
図３と図５を参照すると、雄、或いは、雌ジョイント（４）は、回路板（２）の上方と最前位置にあり、端部は、雄ジョイント、或いは、雌ジョイントで、その両側は、鎖定ねじ（５）を有して、貫通孔（４１）を貫通、定位する。ジョイント（４）後方位置は、ジョイントと一体成型する封体（４２）で、ジョイント（４）の各ピン（４３）により延出した９０度角の接端と回路板（２）の溶接導連部位により、封体（４２）を封合、或いは、保護し、この箇所の導連端は、露出による影響を受けず、美観、配装、安全に配慮している。
【図面の簡単な説明】
【００１３】
【図１】本考案の外観立体図である
【図２】本考案の各素子の分解構造図である。
【図３】端子台、雄、雌ジョイントと回路板の三者により構成される一体性素子の立体実施図である。
【図４】本考案の上視、前視平面構造図である。
【図５】本考案の全体の断面図である。
【符号の説明】
【００１４】
１０      コネクタジョイント
１        側連式の主ハウジング
１１      上ハウジング
１１１    係合棒
１１２    フェルール
１１２１  係合棒
１２      下ハウジング
１１３    フェルール
１１３１  係合槽
１２１    係合槽
１３      連続壁
２        回路板
３        端子台
３１      配線孔
３１１    鎖嵌槽
３１２    鎖固素子
４        雄、或いは、雌ジョイント
４１      貫通孔
４２      封体
４３      ピン
５        鎖定ねじ
（A）      線体
（B）      線体
【図１】
0003124005.tif 000003
【図２】
0003124005.tif 000004
【図３】
0003124005.tif 000005
【図４】
0003124005.tif 000006
【図５】
0003124005.tif 000007